(57)【要約】【課題】移動通信網における位置登録時にＨＬＲから加入者交換機へ加入者のプロファイル情報をコピーする際に、両者間の通信負荷を軽減しつつ、ＶＬＲの記憶容量を有効利用することを目的とする。【解決手段】ＨＬＲ２００において、加入者交換機１００ｂからの移動通信端末３０の位置登録が受け付けられた場合に、以前に移動通信端末３０が在圏していた加入者交換機１００ａからプロファイル情報中の各情報の使用情報が取得される。さらに、加入者交換機１００ｂのＶＬＲ２の空き容量情報も取得される。そして、取得した使用情報および容量情報に基づいて、プロファイル情報中の使用頻度の高い情報が優先的に加入者交換機１００ｂにコピーされる。また、コピー後は加入者交換機１００ｂにおいて、実際に使用頻度の低い情報がＶＬＲ２から削除される。【選択図】  図２
2011130119.tif 000002
【特許請求の範囲】
【請求項１】
移動通信網に属する第一の交換機および第二の交換機に、自装置が保持している前記移動通信網の加入者のプロファイル情報を提供するプロファイル情報提供装置であって、
前記第二の交換機から、位置登録処理を受け付けたことをトリガーとして、前記第一の交換機から、前記第一の交換機に付随する第一のプロファイル情報保持装置が保持するプロファイル情報を構成する各部分の使用状態を示す使用情報を取得する使用情報取得手段と、
前記使用情報取得手段によって取得した前記使用情報に基づいて、前記第一のプロファイル情報保持装置が保持するプロファイル情報のうち、前記第二の交換機に送信すべき部分を判断する判断手段と、
を有することを特徴とするプロファイル情報提供装置。
【請求項２】
前記位置登録処理を受け付けたことをトリガーとして、前記第二の交換機から、前記第二の交換機に付随する第二のプロファイル情報保持装置の記憶容量に関する容量情報を取得する容量情報取得手段をさらに有し、
前記判断手段は、前記使用情報に加えて、前記記憶容量情報にも基づいて、前記第一のプロファイル情報保持装置が保持するプロファイル情報のうち、前記第二の交換機に送信すべき部分を判断する
ことを特徴とする請求項１に記載のプロファイル情報提供装置。
【請求項３】
移動通信網に属する第一の交換機および第二の交換機と、自装置が保持している前記移動通信網の加入者のプロファイル情報を前記交換機に提供するプロファイル情報提供装置と、を含むプロファイル情報提供システムであって、
前記プロファイル情報提供装置は、
前記第二の交換機から、位置登録処理を受け付けたことをトリガーとして、前記第一の交換機から、前記第一の交換機に付随する第一のプロファイル情報保持装置が保持するプロファイル情報を構成する各部分の使用状態を示す使用情報を取得する使用情報取得手段と、
前記使用情報取得手段によって取得した前記使用情報に基づいて、前記第一のプロファイル情報保持装置が保持するプロファイル情報のうち、前記第二の交換機に送信すべき部分を判断する判断手段と、
前記判断した送信すべき部分を、前記第二の交換機に送信するプロファイル情報送信手段と、を有し、
前記第一の交換機および前記第二の交換機は、
前記プロファイル情報送信手段から送信された前記部分を取得して、自交換機に付随するプロファイル情報保持装置に保持するプロファイル情報取得手段と、
前記プロファイル情報保持装置に保持している前記部分についての前記使用情報を生成する使用情報生成手段と、
生成した前記使用情報を前記プロファイル情報提供装置に送信する使用情報送信手段と、
を有することを特徴とするプロファイル情報提供システム。
【請求項４】
前記第二の交換機は、
自交換機に付随するプロファイル情報保持装置である第二のプロファイル情報保持装置の記憶容量に関する容量情報を前記プロファイル情報提供装置に送信する容量情報送信手段、をさらに有し、
前記プロファイル情報提供装置は、
前記位置登録受付手段において前記位置登録処理を受け付けたことをトリガーとして、前記第二の交換機から、前記容量情報を取得する容量情報取得手段と、をさらに有し、
前記判断手段は、前記使用情報に加えて、前記記憶容量情報にも基づいて、前記第一のプロファイル情報保持装置が保持するプロファイル情報のうち、前記第二の交換機に送信すべき部分を判断することを特徴とする請求項３に記載のプロファイル情報提供システム。
【請求項５】
前記第二の交換機は、前記使用情報生成手段において生成された使用情報に基づいて、自交換機に付随する前記プロファイル情報保持装置に保持されている前記プロファイル情報を管理するプロファイル情報管理手段をさらに有することを特徴とする請求項３又は４に記載のプロファイル情報提供システム。
【請求項６】
移動通信網に属する第一の交換機および第二の交換機に、自装置が保持している前記移動通信網の加入者のプロファイル情報を提供するプロファイル情報提供装置において実行されるプロファイル情報提供方法であって、
前記第二の交換機から、位置登録処理を受け付けたことをトリガーとして、前記第一の交換機から、前記第一の交換機に付随する第一のプロファイル情報保持装置が保持するプロファイル情報を構成する各部分の使用状態を示す使用情報を取得する使用情報取得ステップと、
前記第二の交換機から、前記第二の交換機に付随する第二のプロファイル情報保持装置の記憶容量に関する容量情報を取得する容量情報取得ステップと、
前記使用情報取得ステップにおいて取得した前記使用情報と、前記容量情報取得ステップにおいて取得した前記容量情報とに基づいて、前記第一のプロファイル情報保持装置が保持するプロファイル情報のうち、前記第二の交換機に送信すべき部分を判断する判断ステップと、
を有することを特徴とするプロファイル情報提供方法。
【発明の詳細な説明】
【技術分野】
【０００１】
本発明は、移動通信網において、ＶＬＲ（Visitor Location Register）のメモリを有効利用するためのユーザプロファイルの保持方法に関する。
【背景技術】
【０００２】
一般的に、携帯電話の移動通信網においては、ユーザの携帯電話機の現在位置を移動通信網側が把握しておくために、随時、位置登録という処理が実行されるようになっている。また、位置登録では、位置登録エリアと呼ばれる特定のエリアごとに携帯電話機の現在位置が管理されるようになっている。この位置登録処理は、携帯電話機を携行しているユーザが異なる位置登録エリアに移動することで携帯電話機が新たな位置登録エリアに在圏する状態になると、その都度、実行される。また、この時、ＨＬＲ（Home Location Register）に保存されている携帯電話機の位置登録情報が新たな位置登録エリアの内容に書き換えられる。そして、加入者交換機はこのＨＬＲに保存されているユーザのプロファイルを自身のＶＬＲにダウンロードする処理を実行するが、この時、ＨＬＲに保持されているそのユーザのプロファイルに含まれる全データがＶＬＲにコピーされるのが通常である。
【０００３】
ところで、当然のことながらＶＬＲの記憶容量にも限りがある。このような記憶装置の記憶容量を有効利用するために、従来から様々な方法が提案されている。例えば、特許文献１には、第１の記憶デバイスの空き容量が予め定められた値を上回るように、第１の記憶デバイスに存在する利用頻度の低いデータの一部又は全部を第２の記憶デバイスに移動することが記載されている。また、特許文献２には、経過期間の割には利用頻度の低い不要なデータを、自動的に消去できるようにすることが記載されている。
【先行技術文献】
【特許文献】
【０００４】
【特許文献１】特開２００２−３６６３０８号公報
【特許文献２】特開平５−４６５６３号公報
【発明の概要】
【発明が解決しようとする課題】
【０００５】
このような従来の手法は、記憶装置の一種であるＶＬＲにも適用することが可能である。つまり、例えば、ＶＬＲに保持されているプロファイルに含まれる各情報のうち、利用頻度の低いユーザの情報を削除等することにより、ＶＬＲの記憶容量を有効利用することは可能である。
ところで、上述したように、現状ではＨＬＲに保持されているプロファイルに含まれる全情報が、一時的にＶＬＲにコピーされるのが一般的である。しかしながら、そもそも、プロファイルに含まれる情報のうち、利用頻度の低い情報をもＨＬＲからコピーしておくことは無駄な処理であると言える。また、このような情報のやり取りは、ＶＬＲとＨＬＲとの間を接続するネットワークにも負荷をかけることになる。
そこで本発明は、上記問題点を解決し、ＨＬＲと加入者交換機との間の通信負荷を軽減しつつ、ＶＬＲの記憶容量を有効利用するためのプロファイル情報保持装置、プロファイル情報提供システム、プロファイル情報保持方法の実現を目的とする。
【課題を解決するための手段】
【０００６】
上記課題を解決するために、本発明は、移動通信網に属する第一の交換機（例えば、図１における加入者交換機１００ａ）および第二の交換機（例えば、図１における加入者交換機１００ｂ）に、自装置が保持している前記移動通信網の加入者のプロファイル情報を提供するプロファイル情報提供装置（例えば、図１におけるＨＬＲ２００）であって、前記第二の交換機から、位置登録処理を受け付けたことをトリガーとして、前記第一の交換機から、前記第一の交換機に付随する第一のプロファイル情報保持装置（例えば、図１におけるＶＬＲ１）が保持するプロファイル情報を構成する各部分の使用状態を示す使用情報（例えば、図３における使用情報４００）を取得する使用情報取得手段と、前記使用情報取得手段によって取得した前記使用情報に基づいて、前記第一のプロファイル情報保持装置が保持するプロファイル情報のうち、前記第二の交換機に送信すべき部分を判断する判断手段と、を有することを特徴とするプロファイル情報提供装置を提案する。
【０００７】
この構成によれば、例えば、第二の交換機は、位置登録処理を実行する際に、プロファイル情報提供装置からプロファイル情報の使用頻度が高い部分を優先的にコピーして、自交換機に付随するプロファイル情報保持装置に保持することができる。よって、プロファイル情報に含まれる全情報をプロファイル提供装置から第二の交換機に付随するプロファイル情報保持装置にコピーする場合よりも、第二の交換機とプロファイル情報提供装置との間の通信負荷を軽減し、プロファイル情報保持装置の記憶容量を有効利用することができる。
【０００８】
また、プロファイル情報提供装置は、前記位置登録処理を受け付けたことをトリガーとして、前記第二の交換機から、前記第二の交換機に付随する第二のプロファイル情報保持装置（例えば、図１におけるＶＬＲ２）の記憶容量に関する容量情報を取得する容量情報取得手段をさらに有し、前記判断手段は、前記使用情報に加えて、前記記憶容量情報にも基づいて、前記第一のプロファイル情報保持装置が保持するプロファイル情報のうち、前記第二の交換機に送信すべき部分を判断するようになっていてもよい。
【０００９】
この構成によれば、例えば、第二の交換機は、自交換機に付随するプロファイル情報保持装置の空き容量等に応じて、プロファイル情報に含まれる各情報のうち、使用頻度が高い情報から優先的にプロファイル情報提供装置からコピーすること等が可能である。これにより、さらに第二の交換機とプロファイル情報提供装置との間の通信負荷を軽減し、プロファイル情報保持装置の記憶容量を有効利用することができる。
【００１０】
また、本発明は、移動通信網に属する第一の交換機（例えば、図１における加入者交換機１００ａ）および第二の交換機（例えば、図１における加入者交換機１００ｂ）と、自装置が保持している前記移動通信網の加入者のプロファイル情報を前記交換機に提供するプロファイル情報提供装置（例えば、図１におけるＨＬＲ２００）と、を含むプロファイル情報提供システムであって、前記プロファイル情報提供装置は、前記第二の交換機から、位置登録処理を受け付けたことをトリガーとして、前記第一の交換機から、前記第一の交換機に付随する第一のプロファイル情報保持装置（例えば、図１におけるＶＬＲ１）が保持するプロファイル情報を構成する各部分の使用状態を示す使用情報（例えば、図３における使用情報４００）を取得する使用情報取得手段と、前記使用情報取得手段によって取得した前記使用情報に基づいて、前記第一のプロファイル情報保持装置が保持するプロファイル情報のうち、前記第二の交換機に送信すべき部分を判断する判断手段と、前記判断した送信すべき部分を、前記第二の交換機に送信するプロファイル情報送信手段と、を有し、前記第一の交換機および前記第二の交換機は、前記プロファイル情報送信手段から送信された前記部分を取得して、自交換機に付随するプロファイル情報保持装置（例えば、図１におけるＶＬＲ１、ＶＬＲ２）に保持するプロファイル情報取得手段と、前記プロファイル情報保持装置に保持している前記部分についての前記使用情報を生成する使用情報生成手段と、生成した前記使用情報を前記プロファイル情報提供装置に送信する使用情報送信手段と、を有することを特徴とするプロファイル情報提供システムを提案する。
【００１１】
この構成によれば、例えば、第二の交換機は、位置登録処理を実行する際に、プロファイル情報提供装置からプロファイル情報の使用頻度が高い部分を優先的にコピーして、自交換機に付随するプロファイル情報保持装置に保持することができる。よって、プロファイル情報に含まれる全情報をプロファイル提供装置から第二の交換機に付随する第二のプロファイル情報保持装置にコピーする場合よりも、第二の交換機とプロファイル情報提供装置との間の通信負荷を軽減し、プロファイル情報保持装置の記憶容量を有効利用することができる。
【００１２】
また、プロファイル情報提供システムにおいて、前記第二の交換機は、自交換機に付随するプロファイル情報保持装置である第二のプロファイル情報保持装置（例えば、図１におけるＶＬＲ２）の記憶容量に関する容量情報を前記プロファイル情報提供装置に送信する容量情報送信手段、をさらに有し、前記プロファイル情報提供装置は、前記位置登録受付手段において前記位置登録処理を受け付けたことをトリガーとして、前記第二の交換機から、前記容量情報を取得する容量情報取得手段と、をさらに有し、前記判断手段は、前記使用情報に加えて、前記記憶容量情報にも基づいて、前記第一のプロファイル情報保持装置が保持するプロファイル情報のうち、前記第二の交換機に送信すべき部分を判断するようになっていてもよい。
【００１３】
この構成によれば、例えば、第二の交換機は、自交換機に付随するプロファイル情報保持装置の空き容量等に応じて、プロファイル情報の使用頻度が高い部分から優先的にプロファイル情報提供装置からコピーすること等が可能である。これにより、さらに第二の交換機とプロファイル情報提供装置との間の通信負荷を軽減し、プロファイル情報保持装置の記憶容量を有効利用することができる。
また、プロファイル情報提供システムにおいて、前記第二の交換機は、前記使用情報生成手段において生成された使用情報に基づいて、自交換機に付随する前記プロファイル情報保持装置に保持されている前記プロファイル情報を管理するプロファイル情報管理手段をさらに有していてもよい。
【００１４】
位置登録時にプロファイル情報提供装置からプロファイル情報保持装置にコピーする情報の数を限定しすぎると、未コピーの情報が通信時に必要となった場合にプロファイル提供装置からその都度、取得するという処理が多発する可能性がある。よって、上記の構成によれば、例えば、位置登録時にはプロファイルに含まれる情報のうち、ある程度の数の情報をプロファイル提供装置からプロファイル保持装置にコピーするようにしておき、コピー後に、実際の使用状況に応じて、プロファイル中の情報のうち使用頻度の低い情報を削除すること等が可能である。
【００１５】
また、本発明は、移動通信網に属する第一の交換機（例えば、図１における加入者交換機１００ａ）および第二の交換機（例えば、図１における加入者交換機１００ｂ）に、自装置が保持している前記移動通信網の加入者のプロファイル情報を提供するプロファイル情報提供装置（例えば、図１におけるＨＬＲ２００）において実行されるプロファイル情報提供方法であって、前記第二の交換機から、位置登録処理を受け付けたことをトリガーとして、前記第一の交換機から、前記第一の交換機に付随する第一のプロファイル情報保持装置が保持するプロファイル情報を構成する各部分の使用状態を示す使用情報を取得する使用情報取得ステップ（例えば、図７におけるステップＳ１１１）と、前記第二の交換機から、前記第二の交換機に付随する第二のプロファイル情報保持装置の記憶容量に関する容量情報を取得する容量情報取得ステップと（例えば、図７におけるステップＳ１０７）、前記使用情報取得ステップにおいて取得した前記使用情報と、前記容量情報取得ステップにおいて取得した前記容量情報とに基づいて、前記第一のプロファイル情報保持装置が保持するプロファイル情報のうち、前記第二の交換機に送信すべき部分を判断する判断ステップ（例えば、図７におけるステップＳ１１７）と、を有することを特徴とするプロファイル情報提供方法を提案する。
【００１６】
この構成によれば、例えば、第二の交換機は、位置登録処理を実行する際に、プロファイル情報提供装置からプロファイル情報の使用頻度が高い部分を優先的にコピーして、自交換機に付随するプロファイル情報保持装置に保持することができる。よって、プロファイル情報に含まれる全情報をプロファイル提供装置から第二の交換機に付随するプロファイル情報保持装置にコピーする場合よりも、第二の交換機とプロファイル情報提供装置との間の通信負荷を軽減し、プロファイル情報保持装置の記憶容量を有効利用することができる。
【発明の効果】
【００１７】
以上説明したように、本発明によれば、移動通信網に属する交換機は、位置登録処理を実行する際に、プロファイル情報提供装置からプロファイル情報の使用頻度が高い部分を優先的にコピーして、自交換機に付随するプロファイル情報保持装置に保持することができる。よって、プロファイル情報中の全データをプロファイル提供装置から交換機にコピーする場合よりも、交換機とプロファイル情報提供装置との間の通信負荷を軽減し、プロファイル情報保持装置の記憶容量を有効利用することができる。
【図面の簡単な説明】
【００１８】
【図１】プロファイル情報提供システムの構成例を示す図である。
【図２】加入者交換機１００ａおよび加入者交換機１００ｂ、ＨＬＲ２００の構成例を示すブロック図である。
【図３】使用情報の具体例を示す図である。
【図４】移動通信端末３０における通話時間の履歴を示すグラフの図である。
【図５】判断部２４０における処理を説明する図である。
【図６】加入者交換機１００ａおよび加入者交換機１００ｂ、ＨＬＲ２００の具体的構成例を示すブロック図である。
【図７】プロファイル情報提供システムにおける処理の流れを示すシーケンス図である。
【図８】ステップＳ１１７における処理の詳細を示すフロー図である。
【図９】プロファイル中の各情報の使用状況例を示す図である。
【発明を実施するための形態】
【００１９】
以下、本発明の実施の形態について図面を参照しながら説明する。
（プロファイル情報提供システムの構成）
まず、本実施形態に係るプロファイル情報提供システムの構成について、図１を用いて説明する。図１は、プロファイル情報提供システムの構成例を示す図である。
図１に示すプロファイル情報提供システムは、加入者交換機１００ａと、加入者交換機１００ｂと、ＨＬＲ２００とを含んで構成される。また、加入者交換機１００ａは、自交換機に付随するＶＬＲであるＶＬＲ１を有する。また、加入者交換機１００ｂは、自交換機に付随するＶＬＲであるＶＬＲ２を有する。「自交換機に付随するＶＬＲ」とは、自交換機が位置登録処理の実行時にＨＬＲ２００から加入者のプロファイル情報をダウンロードして記憶させておくためのＶＬＲであることを指す。なお、加入者交換機１００ａと加入者交換機１００ｂは、それぞれ、図示しない無線ネットワーク制御装置（ＲＮＣ：Radio Network Controller）を介して複数の無線基地局と接続されている。
【００２０】
また、加入者交換機１００ａと加入者交換機１００ｂは、それぞれ、位置登録を受け付ける位置登録エリア１０、２０を管理している。位置登録エリア１０から位置登録エリア２０に移動通信端末３０が移動して（すなわち、移動通信端末３０を携行したユーザが位置登録エリア１０から位置登録エリア２０に移動して）在圏するようになった場合には、加入者交換機１００ｂは、図示しない無線基地局、無線ネットワーク制御装置（ＲＮＣ）を介して、移動通信端末３０からの位置登録処理を受け付ける。
【００２１】
移動通信端末３０が位置登録エリア２０において位置登録処理を実行した場合には、移動通信端末３０の加入者のプロファイル情報は、内容が更新された後、ＨＬＲ２００から加入者交換機１００ｂに付随するＶＬＲ２にコピーされて保持される。これが図１の状態であり、ハッチングで示すようにＶＬＲ２にプロファイル情報の一部が保持される。なお、移動通信端末３０が位置登録エリア１０において位置登録処理を実行した場合には、移動通信端末３０の加入者のプロファイル情報は、更新された後、ＨＬＲ２００から加入者交換機１００ａに付随するＶＬＲ１にコピーされて保持される。
【００２２】
ここで、従来は、ＨＬＲ２００が保持している加入者のプロファイル中の全データがＶＬＲ１、ＶＬＲ２にコピーされるのが通常である。しかし、本実施形態に係るプロファイル情報提供システムでは、全データをコピーするのではなく、プロファイルに含まれる各情報の使用状況に応じて、使用頻度の高い情報のみをＶＬＲ１、ＶＬＲ２にコピーする点が特徴である。これにより、加入者交換機１００ａおよび加入者交換機１００ｂと、ＨＬＲ２００との間の通信負荷を軽減するとともに、ＶＬＲ１、ＶＬＲ２の記憶容量を有効利用することができる。
【００２３】
（加入者交換機１００ａおよび加入者交換機１００ｂの構成）
次に、図２を用いて、プロファイル情報提供システムの各構成について説明する。図２は、加入者交換機１００ａおよび加入者交換機１００ｂ、ＨＬＲ２００の構成例を示すブロック図である。
図２において、加入者交換機１００ａおよび加入者交換機１００ｂは、それぞれ、位置登録処理部１１０と、使用情報生成部１２０と、使用情報送信部１３０と、容量情報送信部１４０と、プロファイル情報取得部１５０と、プロファイル情報管理部１６０とを有する。
位置登録処理部１１０は、位置登録処理を実行する。具体的には、移動通信端末３０から位置登録要求が実行されると、移動通信端末３０の認証処理後、移動通信端末３０をＨＬＲ２００に登録する。
【００２４】
使用情報生成部１２０は、ＶＬＲ１、ＶＬＲ２に保持されているプロファイル情報の一部についての使用状態を示す使用情報を生成する。つまり、位置登録時にＨＬＲ２００からＶＬＲ１、ＶＬＲ２にプロファイル情報を構成する各部分がコピーされた後、使用情報生成部１２０は、コピーされたプロファイル情報を構成する各部分について、実際の使用状況に基づき使用情報４００を生成する。ここで、「プロファイル情報」とは、本実施形態においては移動通信網の加入者のプロファイル全体を指す。また、プロファイルに含まれる情報としては、具体的には、例えば、ＭＳＩＳＤＮ（Mobile Subscriber Integrated Services Digital Network Number）、ＩＭＵＩ（International Mobile User Identity）、留守番サービスや転送サービス等の契約サービスの情報、契約している料金プランの情報、等の情報が挙げられる。また、「プロファイル情報の一部についての使用状態を示す使用情報」とは、本実施形態においてはプロファイルに含まれる情報ごとの使用頻度を示す情報が該当する。
【００２５】
（使用情報）
図３は、使用情報の具体例を示す図である。使用情報４００は、加入者のプロファイルに含まれる各情報４１０と、各情報４１０の使用頻度を示す使用頻度情報４２０とを含む。つまり、情報Ａ〜Ｆは、具体的には、上述したように、ＭＳＩＳＤＮ、ＩＭＵＩ、契約サービスの情報、契約料金プランの情報、等の情報である。
また、使用頻度情報４２０は、図３の例においては各情報の使用頻度をレベル（ＬＶ）で示している。“ＬＶ１”は使用頻度の高いことを示し、“ＬＶ２”は使用頻度が中程度であること、“ＬＶ３”は使用頻度が低いことを意味する。すなわち、図３の使用情報４００では、情報Ａと情報Ｄは使用頻度が高く、情報Ｂは使用頻度が中程度であり、情報Ｃと情報Ｅは使用頻度が低いことを示している。
【００２６】
また、図４は、移動通信端末３０における通話時間の履歴を示すグラフの図である。ここで、図４の例では、０時〜２４時の２４時間の発着信ごとの通話時間の履歴を示している。例えば、グラフ５００を参照すると、０時〜４時の間では４回の発着信があり、４時〜８時の間では２回の発着信があったことが分かる。また、各発着信における通話時間はグラフ棒の長さで示されている。ここで、プロファイル中の特定の情報の使用回数と発着信回数とが同じ値となる場合には、この特定の情報の使用回数は、０時〜２４時の２４時間の発着信回数と同じである。つまり、使用情報生成部１２０は、グラフ５００に示されるような通話時間の履歴における発着信回数を利用してプロファイル中の各情報の使用回数を取得することも可能である。
【００２７】
つまり、使用情報生成部１２０では、情報Ａ〜Ｆについて使用頻度レベルを決定するために以下の処理を実行する。すなわち、まず、図４に示すように、各情報の所定期間における使用回数をカウントしておく。そして、（各情報の使用回数）÷（プロファイル中の全情報の使用回数）×１００、という計算式によって、各情報の使用率を求める。そして、算出した各情報の使用率と、あらかじめ決定しておいた各レベル“ＬＶ１”、“ＬＶ２”、“ＬＶ３”の閾値とを比較することで、各情報の使用頻度レベルを決定する。使用頻度レベルを決定するための閾値は、例えば、（全加入者の各情報における使用回数）÷（全加入者のプロファイル中の全情報の使用回数）×１００、という計算式で算出できる。
【００２８】
また、加入者のプロファイルに含まれる各情報４１０のうち、通信時に常に必要とされる必須の情報と、必須ではない付属的な情報とが存在する。例えば、図３に示す使用情報４００においては、情報Ｆは必須の情報である。このため、位置登録処理を実行した場合、情報Ｆは使用頻度に関わらず、ＨＬＲ２００からＶＬＲ１、ＶＬＲ２に必ずコピーしておく必要がある。よって、情報Ｆについては使用回数をカウントせず、情報Ｆの使用頻度情報４２０は必須情報であることを示すのみとしている。
【００２９】
図２に戻り、使用情報送信部１３０は、使用情報生成部１２０で生成した使用情報４００をＨＬＲ２００に送信する。
容量情報送信部１４０は、ＶＬＲ１、ＶＬＲ２の記憶容量に関する容量情報をＨＬＲ２００に送信する。ここで、「記憶容量に関する容量情報」とは、記憶領域の空き状況が直接的または間接的に分かる情報であればよい。容量情報の具体例として、例えば、空き容量使用容量、全記憶容量に対する空き容量や使用容量の比率、などを示す情報が挙げられる。本実施形態においては、容量情報として、ＶＬＲ１、ＶＬＲ２の空き容量を示す空き容量情報を用いる。
【００３０】
プロファイル情報取得部１５０は、ＨＬＲ２００のプロファイル情報送信部２５０から送信されたプロファイル情報の一部を、ネットワークを介して取得して、ＶＬＲ１、ＶＬＲ２に保持する。
プロファイル情報管理部１６０は、使用情報生成部１２０において生成された使用情報４００に基づいて、ＶＬＲ１、ＶＬＲ２に保持されているプロファイル情報を管理する。「プロファイル情報を管理する」とは、例えば、プロファイル中の使用頻度の低い情報を削除することである。また、情報を削除するのではなく、他の記憶装置に移動させることでＶＬＲ１、ＶＬＲ２の空き容量を増やすようになっていてもよい。
【００３１】
後述するように、本実施形態のプロファイル情報提供システムにおいては、位置登録処理時にＨＬＲ２００からＶＬＲ１、ＶＬＲ２にプロファイル情報をコピーする際に、プロファイル情報に含まれる各情報の使用頻度に応じてコピーする点が特徴である。そして、もし、加入者交換機１００ａおよび加入者交換機１００ｂにおいて、プロファイル情報中の情報のうちＶＬＲ１、ＶＬＲ２に保持していない情報が必要となった場合には、加入者交換機１００ａ等からＨＬＲ２００に必要な情報の取得要求をしてＶＬＲ１等にコピーする処理が必要となる。つまり、もし位置登録時にＨＬＲ２００からコピーしておく情報が少なすぎる場合には、その後に未コピーの情報をＨＬＲ２００からコピーする処理が頻発し、かえってネットワークにおいて輻輳が起きてしまう可能性がある。
【００３２】
そこで、位置登録時にはプロファイル情報の各情報の使用頻度を考慮してＶＬＲ１等へのコピーを行うものの、ある程度の数の情報がＶＬＲ１等にコピーされるように使用頻度の判断条件を緩やかに設定しておく。そして、その後、ＶＬＲ１等へコピーされた情報について、実際の使用状況に基づいた使用情報４００が使用情報生成部１２０において生成され、この使用情報４００に基づいて、プロファイル情報管理部１６０において実際に使用頻度の低い情報を削除する。以上のような手法により、加入者交換機１００ａ等とＶＬＲ１等との間のネットワーク負荷を軽減してＶＬＲ１等の容量を有効利用しつつ、上述したようなネットワークの輻輳の問題も軽減することが可能となる。
【００３３】
（ＨＬＲ２００の構成）
図２において、ＨＬＲ２００は、位置登録受付部２１０と、使用情報取得部２２０と、容量情報取得部２３０と、判断部２４０と、プロファイル情報送信部２５０とを有する。
位置登録受付部２１０は、加入者交換機１００ａ、加入者交換機１００ｂから位置登録処理を受け付ける。「位置登録処理」とは、具体的には、移動通信端末３０から位置登録が要求され、移動通信端末３０の認証処理が終了した後、加入者交換機１００ａ、加入者交換機１００ｂにより実行される移動通信端末３０の位置登録処理である。位置登録処理については公知の技術であるので、詳細な説明は割愛する。
【００３４】
使用情報取得部２２０は、位置登録受付部２１０において位置登録処理を受け付けたことをトリガーとして、加入者交換機１００ａ、加入者交換機１００ｂから、ＶＬＲ１、ＶＬＲ２の使用情報４００を取得する。「位置登録受付部２１０において位置登録処理を受け付けたことをトリガーとして」とは、位置登録受付部２１０において位置登録処理を受け付けたことをきっかけとする意味であり、位置登録と同時、位置登録処理の受け付け直後、位置登録処理を受け付けた後の一定時間内、等を広く含む意味である（後述する容量情報取得部２３０においても同様）。
【００３５】
容量情報取得部２３０は、位置登録受付部２１０において位置登録処理を受け付けたことをトリガーとして、加入者交換機１００ａ、加入者交換機１００ｂから、ＶＬＲ１、ＶＬＲ２の記憶容量に関する容量情報を取得する。
判断部２４０は、使用情報取得部２２０において取得した使用情報４００と、容量情報取得部２３０において取得した容量情報とに基づいて、プロファイル情報のうち、加入者交換機１００ａ、加入者交換機１００ｂに送信すべき部分を判断する。
【００３６】
図５は、判断部２４０における処理を説明する図である。なお、図５においては加入者交換機１００ａの場合を示しているが、加入者交換機１００ｂにおいても同様である。判断部２４０は、ＶＬＲ１の空き容量について２つの閾値Ａ、閾値Ｂをあらかじめ自装置内の記憶装置等に保持している（閾値Ａ＞閾値Ｂ）。そして、容量情報取得部２３０を介してＶＬＲ１の空き容量情報６００を取得すると、取得した空き容量情報６００と、閾値Ａまたは閾値Ｂとを比較する。その結果、空き容量情報６００に示されるＶＬＲ１の空き容量が閾値Ｂ未満である場合には、判断部２４０は、使用情報４００を参照して使用頻度情報４２０が「必須」となっている情報のみを加入者交換機１００ａ等に送信する、と判断する。また、ＶＬＲ１の空き容量が閾値Ｂ以上閾値Ａ未満である場合には、使用頻度情報４２０が“ＬＶ１”の情報のみ、ＶＬＲ１の空き容量が閾値Ａ以上である場合には、使用頻度情報４２０が“ＬＶ１”、“ＬＶ２”の情報のみを加入者交換機１００ａ等に送信する、と判断する。
【００３７】
なお、判断部２４０は、使用情報取得部２２０において取得した使用情報４００と、容量情報取得部２３０において取得した容量情報とに基づいて、プロファイル情報のうち、加入者交換機１００ａ、加入者交換機１００ｂに送信しない部分を判断するようになっていてもよい。プロファイル情報のうち「送信しない部分」を判断すれば、すなわち、これ以外の部分が加入者交換機１００ａ等に「送信すべき部分」となり、同様の効果を奏するからである。
【００３８】
図２に戻り、プロファイル情報送信部２５０は、判断部２４０において判断したプロファイル情報の一部を、ネットワークを介して、加入者交換機１００ａ、加入者交換機１００ｂに送信する。一般的に、ＨＬＲ２００において移動通信端末３０の位置登録処理が実行されると、加入者交換機１００ａ、加入者交換機１００ｂに対してＩＳＤ（Insert Subscriber Data）信号が送信される。本実施形態においても同様に、判断部２４０において判断したプロファイル情報の一部が加入者交換機１００ａ等にＩＳＤ信号として送信される。なお、以降の説明では、ＩＳＤ信号を送信することを「ＩＳＤする」などと表現する。
【００３９】
なお、上述した、加入者交換機１００ａ、加入者交換機１００ｂ、ＨＬＲ２００は、より具体的には、図６に示すＣＰＵ（Central  Processing  Unit）３１０、ＲＡＭ（Random Access Memory）３２０、ハードディスク等の不揮発性記憶装置３３０、ネットワークインタフェース３４０、一般的なコンピュータの構成と同様の構成により実現される。加入者交換機１００ａ、加入者交換機１００ｂ、ＨＬＲ２００の各構成の機能は、各装置のＣＰＵ３１０が不揮発性記憶装置３３０に記憶されているプログラムを読出して実行することにより実現される機能である。また、使用情報４００、空き容量情報６００は、各装置のＲＡＭ３２０または不揮発性記憶装置３３０に記憶され、必要に応じて適宜、ＲＡＭ３２０上のワーク領域に読出されてＣＰＵ３１０によって処理されるデータである。また、ＶＬＲ１、ＶＬＲ２はプロファイル情報を記憶する記憶装置であり、それぞれ、加入者交換機１００ａ、加入者交換機１００ｂの内部の不揮発性記憶装置３３０、もしくは外部に接続される図示しない記憶装置の全部又は一部の記憶領域によって構成される。
【００４０】
（プロファイル情報提供システムの動作）
次に、図７を用いて、本実施形態に係るプロファイル情報提供システムの動作について具体的に説明する。図７は、プロファイル情報提供システムにおける処理の流れを示すシーケンス図である。なお、以下の説明においては、移動通信端末３０が位置登録エリア１０から位置登録エリア２０に移動した場合について説明する。
移動通信端末３０が加入者交換機１００ａの管理下にある位置登録エリア１０に在圏中は、加入者交換機１００ａの使用情報生成部１２０において、ＶＬＲ１に記憶されているプロファイル中の各情報が使用されるたびに使用回数がカウントされて使用頻度情報４２０が生成される。そして、生成された使用頻度情報４２０は各情報４１０と関連付けられて、使用情報４００としてＶＬＲ１を構成する不揮発性記憶装置３３０等に記憶されて保持される（ステップＳ１０１）。
【００４１】
その後、移動通信端末３０が加入者交換機１００ｂの管理下にある位置登録エリア２０に移動すると、移動通信端末３０から位置登録要求が実行される（ステップＳ１０３）。移動通信端末３０から位置登録要求が実行されると、移動通信端末３０とＨＬＲ２００との間で、移動通信端末３０の識別情報（ＩＭＳＩ：International Mobile Subscriber Identity）を用いて移動通信端末３０の認証処理シーケンスが実行される（ステップＳ１０５）。
【００４２】
そして、認証が成功すると、加入者交換機１００ｂの位置登録受付部２１０において、移動通信端末３０を位置登録するための処理が実行される（ステップＳ１０７）。また、この時、加入者交換機１００ｂの容量情報送信部１４０においてＶＬＲ２の空き容量情報６００が取得され、空き容量情報６００は位置登録処理のデータ信号中に含まれて送信される。この空き容量情報６００は、ＨＬＲ２００の容量情報取得部２３０において受信され、ＨＬＲ２００のＲＡＭ３２０等の記憶装置に記憶されて保持される。
【００４３】
また、移動通信端末３０の位置登録処理が実行されると、以前に移動通信端末３０が在圏していた加入者交換機１００ａに対して、ＨＬＲ２００から「Ｃａｎｃｅｌ  Ｌｏｃａｔｉｏｎ」が送信される（ステップＳ１０９）。なお、ステップＳ１０３〜Ｓ１０９における処理は従来の移動通信網において一般的に行われている位置登録処理と同様である。
ＨＬＲ２００から加入者交換機１００ａに「Ｃａｎｃｅｌ  Ｌｏｃａｔｉｏｎ」が送信されると、加入者交換機１００ａの使用情報送信部１３０において、ＨＬＲ２００に使用情報４００がネットワークインタフェース３４０を介して送信される（ステップＳ１１１）。なお、この使用情報４００は、ＨＬＲ２００の使用情報取得部２２０において受信され、ＨＬＲ２００のＲＡＭ３２０等の記憶装置に記憶されて保持される。その後、加入者交換機１００ａにおいてＶＬＲ１から移動通信端末３０の全てのプロファイルが削除される（ステップＳ１１３）。そして、加入者交換機１００ａからＨＬＲ２００に「Ｃａｎｃｅｌ  Ｌｏｃａｔｉｏｎ  Ａｃｋ」が送信される（ステップＳ１１５）。
【００４４】
なお、空き容量情報６００は、本シーケンス図では位置登録処理（ステップＳ１０７）と同時に送信されることとなっているが、位置登録処理（ステップＳ１０７）が実行された後の一定時間内にＨＬＲ２００に送信されればよい。例えば、位置登録処理（ステップＳ１０７）の直後などに送信されるようになっていてもよい。
次に、ＨＬＲ２００の判断部２４０において、取得した使用情報４００および空き容量情報に基づいて、プロファイル中の情報Ａ〜Ｆのうち、ＩＳＤすべき情報が判断される（ステップＳ１１７）。
【００４５】
ここで、図８は、ステップＳ１１７における処理の詳細を示すフロー図である。判断部２４０において、ＣＰＵ３１０によりＨＬＲ２００のＲＡＭ３２０等から空き容量情報６００が読み出され、ＶＬＲ２の空き容量が判断される（ステップＳ２０１）。また、ＩＳＤすべき情報を判断するための記憶容量に関する閾値Ａ、閾値ＢもＣＰＵ３１０によってＲＡＭ３２０等から読み出される。そして、ＣＰＵ３１０によって、読み出された空き容量情報と閾値Ａおよび閾値Ｂとが比較処理される。そして、ＶＬＲ２の空き容量が閾値Ｂ以下であるとの比較結果である場合には、プロファイル中の必須の情報のみをＩＳＤすると判断される（ステップＳ２０３）。また、ＶＬＲ２の空き容量が閾値Ｂ以上閾値Ａ未満であるとの比較結果である場合には、使用頻度が“ＬＶ１”の情報のみをＩＳＤすると判断される（ステップＳ２０５）。また、ＶＬＲ２の空き容量が閾値Ａ以上であるとの比較結果である場合には、使用頻度が“ＬＶ１”および“ＬＶ２”の情報のみをＩＳＤすると判断される（ステップＳ２０７）。なお、これらの比較結果はＨＬＲ２００のＲＡＭ等に記憶される。
【００４６】
図７に戻り、プロファイル情報送信部２５０において、ＣＰＵ３１０によってＲＡＭ３２０等から判断部２４０における比較結果が読み出される。さらに、ＣＰＵ３１０によってＲＡＭ等に記憶されている使用情報４００の使用頻度情報４２０が参照され、ＩＳＤすべきと判断された情報がネットワークインタフェース３４０を介して加入者交換機１００ｂにＩＳＤされる（ステップＳ１１９）。
【００４７】
そして、加入者交換機１００ｂのプロファイル情報取得部１５０において、ネットワークインタフェース３４０を介して受信された情報はＶＬＲ２に記憶されて保持される（ステップＳ１２１）。そして、「Ｉｎｓｅｒｔ  Ｓｕｂｓｃｒｉｂｅｒ  Ｄａｔａ  Ａｃｋ」が加入者交換機１００ｂからＨＬＲ２００に送信される（ステップＳ１２３）。
そして、移動通信端末３０と加入者交換機１００ｂとの間で位置登録終了シーケンスが実行される（ステップＳ１２５）。この位置登録終了シーケンスは公知の技術であるので詳述しないが、秘匿処理などの一連の処理が実行される。
【００４８】
ステップＳ１２５によって位置登録処理が完了すると、ステップＳ１０１と同様に、加入者交換機１００ｂの使用情報生成部１２０において、ＶＬＲ２に記憶されているプロファイル中の各情報が使用されるたびに使用回数がカウントされて使用頻度情報４２０が生成される。具体的には加入者交換機１００ｂのＲＡＭ３２０等に生成された各情報のカウンター情報の値を１ずつ加算していき、その都度、加算結果をＲＡＭ３２０等に記憶しておく。このようにして生成された使用頻度情報４２０は各情報４１０と関連付けられて、使用情報４００として、データベース等の形式でＶＬＲ２を構成する不揮発性記憶装置３３０等に記憶されて保持される（ステップＳ１２７）。また、所定時間ごとに（ステップＳ１２９）、使用情報に応じてＶＬＲ２に記憶されている各情報を削除する（ステップＳ１３１）。
【００４９】
なお、ステップＳ１２７〜Ｓ１３１の処理は、移動通信端末３０が他の加入者交換機の管理下にある位置登録エリアに移動することで新たに位置登録が実行されるまで継続される。そして、他の加入者交換機からステップＳ１０７と同様に位置登録処理が実行されると、ステップＳ１１１における処理と同様に加入者交換機１００ｂの使用情報送信部１３０からＨＬＲ２００に、ＶＬＲ２についての使用情報４００が送信される。以下、位置登録処理を実行した加入者交換機において、図７における加入者交換機１００ｂと同様の処理が行われることになる。
【００５０】
（変形例）
以下、変形例について説明する。
（１）上記の実施形態においては、使用情報は、各情報の使用回数から使用頻度を算出したが、使用頻度を別の方法で判断してもよい。例えば、プロファイル中の各情報を最後に使用した時点からの現在までの経過時間に基づいて使用頻度を算出してもよい。図９は、各情報の使用状況例を示す図である。図９に示すように、例えば、情報Ｂの最後に使用した時点からの現在までの経過時間は時間Ｔ１である。この時間Ｔ１を加入者交換機１００ａ等のＲＡＭ３２０等に記憶して保持しておく。そして、閾値は、（全加入者の情報Ｂの最後に使用した時点から現在までの経過時間の総計）÷（全加入者数）×１００、という計算式により算出する。時間Ｔ１がこの閾値よりも大きい場合には、この加入者の情報Ｂは使用頻度が低いものであると判断する。
【００５１】
また、別の方法として、例えば、プロファイル情報中の各情報の１日中での最長使用時間に基づいて使用頻度を算出してもよい。具体的には、図９に示すように、例えば、情報Ｂの１日中での最長使用時間は時間Ｔ２である。この時間Ｔ２を加入者交換機１００ａ等のＲＡＭ３２０等に記憶して保持しておく。そして、閾値は、（全加入者の１日中での情報Ｂの最長使用時間の総計）÷（全加入者数）×１００、という計算式により算出する。時間Ｔ２がこの閾値よりも小さい場合には、この加入者の情報Ｂは使用頻度が低いものであると判断する。
【００５２】
（２）上記の実施形態においては、ＶＬＲ１、ＶＬＲ２は、それぞれ加入者交換機１００ａ、加入者交換機１００ｂの内部に備えられているように記載しているが、ＶＬＲと加入者交換機とは別体となっていてもよい。また、ネットワーク等によって接続されていてもよい。
【００５３】
（３）移動通信端末３０は、いわゆる異名義契約などのように、１台の移動通信端末３０において複数の異なる電話番号で発着信可能な移動通信端末であってもよい。移動通信端末３０が複数の電話番号を使用可能な場合、電話番号ごとにプロファイルが存在する場合がある。つまり、移動通信端末３０が位置登録をする際には、電話番号と同数のプロファイルをＨＬＲ２０からＶＬＲ１等にコピーしておくことが必要となる。よって、異名義契約などの場合には、ＨＬＲ２００と加入者交換機１００ａ等との間の通信負荷やＶＬＲ１等の記憶容量の使用方法が特に大きな問題となる。
【００５４】
すなわち、移動通信端末３０が異名義契約などのように、複数の電話番号で発着信可能な移動通信端末である場合には、特に本発明の効果を奏する。なお、この場合において、本発明の「プロファイル情報」には、１台の移動通信端末３０に関連付けられている複数のプロファイル全体が該当し、「プロファイル情報の（特定）部分」には、各プロファイルが該当する。
【００５５】
（まとめ）
以上説明したように、本発明によれば、移動通信網に属する交換機は、位置登録処理を実行する際に、プロファイル情報提供装置からプロファイル情報の使用頻度が高い部分を優先的にコピーして、自交換機に付随するプロファイル情報保持装置に保持することができる。よって、プロファイル情報中の全データをプロファイル提供装置から交換機にコピーする場合よりも、交換機とプロファイル情報提供装置との間の通信負荷を軽減し、プロファイル情報保持装置の記憶容量を有効利用することができる。
【産業上の利用可能性】
【００５６】
本発明に係るプロファイル情報提供装置、プロファイル情報提供システム、プロファイル情報提供方法は、携帯電話機などにおける移動通信技術に利用することが可能である。
【符号の説明】
【００５７】
１、２  ＶＬＲ
１０、２０  位置登録エリア
３０  移動通信端末
１００ａ、１００ｂ  加入者交換機
１１０  位置登録処理部
１２０  使用情報生成部
１３０  使用情報送信部
１４０  容量情報送信部
１５０  プロファイル情報取得部
１６０  プロファイル情報管理部
２００  ＨＬＲ
２１０  位置登録受付部
２２０  使用情報取得部
２３０  容量情報取得部
２４０  判断部
２５０  プロファイル情報送信部
３１０  ＣＰＵ
３２０  ＲＡＭ
３３０  不揮発性記憶装置
３４０  ネットワークインタフェース
４００  使用情報
４１０  各情報
４２０  使用頻度情報
６００  空き容量情報
【図１】
2011130119.tif 000003
【図２】
2011130119.tif 000004
【図３】
2011130119.tif 000005
【図４】
2011130119.tif 000006
【図５】
2011130119.tif 000007
【図６】
2011130119.tif 000008
【図７】
2011130119.tif 000009
【図８】
2011130119.tif 000010
【図９】
2011130119.tif 000011